(57)【特許請求の範囲】
【請求項１】
上段が下段に比べて小径となる上下二段重ねの鏡餅容器体に形成された中空の鏡餅容器の下段鏡餅部の側周部が上段鏡餅部との上下段連結くびれ部より下段開口周縁つば部に向かって内径が広がる下広がりの形状に形成された鏡餅容器と、鏡餅容器の上下段連結くびれ部から下段開口にかけて下段鏡餅中空部の内周面に内接する下段鏡餅内接容器とから成る飾り鏡餅であって、下段鏡餅開口部より上段鏡餅部に餅を充填後に下段鏡餅中空部に下段内接容器を設置して下段鏡餅開口部より下段鏡餅内接容器部に餅を充填後に開口部を閉鎖ラップにより密封することにより開封後に容器を切断することなく容易に上下二段に分離した鏡餅を取り出すことができることを特徴とする飾り鏡餅。
【請求項２】
上段が下段に比べて小径となる上下二段重ねの鏡餅容器体に形成された中空の鏡餅容器の下段鏡餅部の側周部が上段鏡餅部との上下段連結くびれ部より下段開口周縁つば部に向かって内径が広がる下広がりの形状に形成された鏡餅容器と、鏡餅容器の上下段連結くびれ部から下段開口にかけて下段鏡餅中空部の内周面に内接し、その内外両壁面に多数の微細な凹凸を施して餅充填後に下段鏡餅となる下段鏡餅内接容器とから成り、鏡餅開封後に容器を切断することなく容易に上下二段に分離した鏡餅を取り出すことができることを特徴とする飾り鏡餅。
【請求項３】
上段が下段に比べて小径となる上下二段重ねの鏡餅容器体に形成された中空の鏡餅容器上段に餅を充填後に下段鏡餅内接容器の頭頂部を上下段連結くびれ部に設置する時点での上段部残存空気をスムーズに脱気させて、更に加熱殺菌時に鏡餅上段部の餅が上下段連結くびれ部の鏡餅容器下段内面側周部と下段鏡餅内接容器頭頂部外面側周部との間にはみ出すのを防ぐ機能として下段鏡餅内接容器側周部に多数の微細な凹凸を設けた下段鏡餅内接容器を有することを特徴とする飾り鏡餅。
【請求項４】
内接容器に使用する素材樹脂は容易に割ることができる方向指向性樹脂を使用することを特徴とする請求項１乃至３のいずれか一項に記載の飾り鏡餅。
【請求項５】
内接容器の頭頂部、天面に方向指向性樹脂の指向方向に平行した形で容器裂き口としてＵ字形の切り込みを設けているか、又は容器縁辺に裂き口を設けていることを特徴とする請求項１乃至３のいずれか一項に記載の飾り鏡餅。
【請求項６】
方向指向性樹脂を上下二段鏡餅容器体に使用し、下段開口部周縁つば部に裂き口を設けていることを特徴とする請求項１乃至３のいずれか一項に記載の飾り鏡餅。
【請求項７】
上下二段鏡餅容器体及び下段鏡餅内接容器は圧空、真空成形したものであることを特徴とする請求項１乃至６のいずれか一項に記載の飾り鏡餅。
【発明の詳細な説明】
【技術分野】
【０００１】
この発明は、重ね鏡餅を模した形状の鏡餅容器体内に餅を充填収納した飾り鏡餅に関する。
【背景技術】
【０００２】
お正月には必ず「鏡餅」をお供えすることが日本の伝統文化として今日まで引き継がれている。しかしお供えされた鏡餅は過去にはカビが生え、ほこりまみれとなり、乾燥してひび割れカチカチとなり、鏡開きで食するとき非常に困難を強いられていた。そこで、鏡餅を飾り、お正月を祝う伝統を今日の生活様式に則しながら伝承すべく、重ね鏡餅を模した形状に形成された鏡餅容器に餅を充填収納した飾り鏡餅が開発され好評を博している。現在では大きさや飾り付け等様々あり、住宅事情の変化に伴う飾る場所も神棚、床の間に限らず、リビングのテレビの上、飾り棚、玄関、子供の勉強机等、さらには正月用に限らず、雛祭りや祝い事などにも使用されている。また、餅の充填技術についても、鏡餅容器に餅を上下満杯に充填した「上下一体タイプ」、個包装の切り餅、丸餅を鏡餅に充填した「こもちタイプ」など市場で流通している。
【０００３】
しかしながら、このような画期的な容器入り飾り鏡餅は、特に上下一体タイプにおいては鏡開きに食するとき、鏡餅容器を包丁等刃物で切断し中味の餅を取り出さなければならないが、カビ、汚れ、腐敗防止等内容物保護のための樹脂製容器であり、表面は滑面で湾曲しているため刃物による分断も容易ではなく、怪我など充分な注意が必要である。また、容器から取り出せたとしても、一体タイプでは上下鏡餅がブロック状態となっており、取り出された餅の切断、調理にも注意と腕力が必要であり、大きさにもよるが女性では困難さを感じることがある。このために、せっかくお正月に飾った鏡餅が食されずそのまま廃棄されるケースも多々見うけられる。
【０００４】
しかるに、このような「上下一体タイプ」において、従来から鏡餅容器体から餅を取り出し易くする工夫は種々の観点から行なわれていた。例えば、特開２００５−１７０３９７号公報（特許文献１）に記載の包装鏡餅用容器は、射出成形により鏡餅形状に形成した合成樹脂製の成形体であって、容器の内面には、容器内の頂部を通って直径方向に直線状に延びる突条が形成されているため、従来のような鏡餅形状の容器とは別ピースである餅の分割板を容器内に入れて餅を充填するものと異なり、手間がかからず、使用後に簡単に切断可能な包装鏡餅を簡単且つ確実に製造することができる。
【０００５】
そして、鏡餅容器体から充填してある餅を鏡餅容器体を切断しなくても、また餅を破壊しなくとも、そっくり取り出すことができる飾り鏡餅としては、特開２００６−２９６３４７号公報（特許文献２）に記載されている。この鏡餅は、容体側部を中空鏡餅容器体に下方の開口部から餅を充填収納し、容体湾曲部を肉厚とした肉厚調整部を形成し、内周面が外周面と同じく外側に湾曲せず且つ下方の開口部へ向かう程内径が狭まる下細り内周面を有さずに、この肉厚調整部の内周面が下方の開口部へ向かって内径が一定となるストレート内周面若しくは下方の開口部へ向かって内径が広くなる下広がり内周面となる肉厚に設定した。
【０００６】
一方、小餅入りタイプでは、鏡餅容器（実開平４−３５７９４号公報［特許文献３］，特開平６−２１１２２８号公報［特許文献４］）からの取り出し易さ、調理の容易さなど一体タイプの問題点は解決されたが、鏡餅容器に使用されている着色された樹脂の持つ質感、風合い、手にとっての重量感などがお正月を祝い、お供えする伝統的な二段重ね鏡餅のもつそれと異なるため、依然として鏡餅容器に満杯充填した一体タイプの鏡餅が広く買い求められている。このことは、消費者にとって鏡餅とは単に鏡餅の形状をした容器を意味し、中に餅が入っていればそれで良いというのではなく、お正月に二段重ね鏡餅をお供えし新年を祝う日本古来の精神的伝統の継承が求められていると考えられ、これら課題の解決は単に利便性のみではなく、商品面での大きな付加価値として消費者に受け入れられるものと考えられる。
【特許文献１】特開２００５−１７０３９７号公報
【特許文献２】特開２００６−２９６３４７号公報
【特許文献３】実開平４−３５７９４号公報
【特許文献４】特開平６−２１１２２８号公報
【発明の開示】
【発明が解決しようとする課題】
【０００７】
したがって、この発明の課題は、従来の精神的伝統の継承を維持した二段重ね鏡餅を提供する、即ち、上下二段重ねの鏡餅に形成された鏡餅容器に満杯に充填された餅が伝統的鏡餅のように上下二段に分割されていて、容器素材として方向指向性樹脂を使用することにより、鏡餅容器を包丁等刃物で切断することなしに上下それぞれに分割された丸くて平らな鏡餅を取り出しできる飾り鏡餅を提供することである。
【課題を解決するための手段】
【０００８】
この発明の課題は、上段が下段に比べて小径となる上下二段重ねの鏡餅容器体に形成された中空の鏡餅容器の下段鏡餅部の側周部が上段鏡餅部との上下段連結くびれ部より下段開口周縁つば部に向かって内径が広がる下広がりの形状に形成された鏡餅容器と、鏡餅容器の上下段連結くびれ部から下段開口にかけて下段鏡餅中空部の内周面に内接する下段鏡餅内接容器とから成る飾り鏡餅であって、下段鏡餅開口部より上段鏡餅部に餅を充填後に下段鏡餅中空部に下段内接容器を設置して下段鏡餅開口部より下段鏡餅内接容器部に餅を充填後に開口部を閉鎖ラップにより密封することにより開封後に容器を包丁等刃物で切断することなく容易に上下二段に分離した鏡餅を取り出すことができることによって解決される。
【０００９】
また、この発明の課題は、上段が下段に比べて小径となる上下二段重ねの鏡餅容器体に形成された中空の鏡餅容器の下段鏡餅部の側周部が上段鏡餅部との上下段連結くびれ部より下段開口周縁つば部に向かって内径が広がる下広がりの形状に形成された鏡餅容器と、鏡餅容器の上下段連結くびれ部から下段開口にかけて下段鏡餅中空部の内周面に内接し、その内外両壁面に多数の微細な凹凸を施して餅充填後に下段鏡餅となる下段鏡餅内接容器とから成り、鏡餅開封後に容器を切断することなく容易に上下二段に分離した鏡餅を取り出すことができることによって解決される。
【００１０】
さらに、この発明の課題は、上段が下段に比べて小径となる上下二段重ねの鏡餅容器体に形成された中空の鏡餅容器上段に餅を充填後に下段鏡餅内接容器の頭頂部を上下段連結くびれ部に設置する時点での上段部残存空気をスムーズに脱気させて、更に加熱殺菌時に鏡餅上段部の餅が上下段連結くびれ部の鏡餅容器下段内面側周部と下段鏡餅内接容器頭頂部外面側周部との間にはみ出すのを防ぐ機能として下段鏡餅内接容器側周部とに多数の微細な凹凸を設けた下段鏡餅内接容器を有することによって解決される。
【００１１】
さらに、この発明では、内接容器に使用する素材樹脂には容易に割ることができる方向指向性樹脂を使用すること、内接容器の頭頂部、天面に方向指向性樹脂の指向方向に平行した形で容器裂き口としてＵ字形の切り込みを設けているか、又は容器縁辺に裂き口を設けていることや上下二段鏡餅容器体及び下段鏡餅内接容器が圧空、真空成形したものであることを特徴とする。
【発明の効果】
【００１２】
この発明によると、餅が日本古来の伝統的鏡餅のように上下二段に分割されており、鏡餅容器を包丁等刃物で切断することなく、閉鎖ラップを取り外し裂き口より手で引き裂くことのみで、上下にそれぞれに分割された丸くて平らな鏡餅を簡単に取り出すことができる画期的な飾り鏡餅である。
【００１３】
この発明によると、鏡餅容器の下段内面側周部や下段鏡餅内接容器側周部が多数の微細な凹凸を設けることにより鏡餅容器の下段内面側周部と下段鏡餅内接容器側周部との関係において、上段部残存空気をスムーズに脱気させ、上段鏡餅部の餅のはみ出すのを防ぐ機能を備える。
【００１４】
この発明によると、内接容器に方向指向性樹脂を使用したり、内接容器の頭頂部、天面又は縁辺に方向指向性樹脂の指向方向に平行した裂き口を設けて、餅を鏡餅容器から取り出し易くなしている。
【００１５】
しかも、この鏡餅容器は圧空、真空成形で形成するので、射出成形に比べて、簡単に且つ安価に製造できる。
【発明を実施するための最良の形態】
【００１６】
次に、この発明は、図面に基づいて実施態様を詳細に説明される。
【００１７】
図１は、圧空、真空成形した鏡餅容器１を示し、この鏡餅容器１は上段鏡餅中空部８と下段鏡餅中空部９とから成る上下二段重ねの鏡餅容器体に形成された中空容器である。上段鏡餅中空部８の径は下段鏡餅中空部９の径より小さい。上段鏡餅部と下段鏡餅部の間の連結部は上下段連結くびれ部７を形成している。この鏡餅容器１は上下連結くびれ部７から下段開口部３の周縁つば部６に向かって側周部の内径が広がる下広がりの形状に形成された外形状を有する。
【００１８】
図２は、圧空、真空成形した下段内接容器４を示し、この下段内接容器４は鏡餅容器１の上下段連結くびれ部７から下段開口部３にかけての下段鏡餅中空部９の内周面に内接し、その内外壁面に多数の微細な凹凸１２を施した内接容器である。この下段内接容器４の頂部１１は平らな天辺を形成し、鏡餅容器１の上段鏡餅中空部８に充填された餅を支持し、その下部開口部５から下段内接容器４の内接容器中空部１０に下段鏡餅を充填させ、内接容器４として使用する。
【００１９】
図３は、圧空、真空成形した鏡餅容器１に下段内接容器４を設置して組み込んだこの発明の飾り鏡餅を示し、この鏡餅容器１の下段鏡餅開口部３から上段鏡餅中空部８に餅を充填した後に下段鏡餅中空部９に下段内接容器４を設置して、下段内接容器４の頭頂部に機械的圧力を加えて、鏡餅容器上段部に充填された餅の離脱と容器上段部側周面に密着整形し、更に連結段くびれ部７に下段鏡餅内接容器４の頭頂部を係合させることによっ加熱殺菌時に上段鏡餅部に充填された餅の下段鏡餅中空部９へのはみ出しを防ぐよう下段内接容器４を設置し、下段内接容器４の下部開口部５より餅を充填した後に鏡餅容器１の下段鏡餅開口部３を閉鎖ラップ２により封鎖する。
【００２０】
この場合に、下段開口周縁つば部６に閉鎖ラップ２をヒートシールすることにより上段鏡餅部及び下段鏡餅内接容器４の鏡餅部を完全密閉することにより中の餅を保護でき、また、餅を取り出すときには、閉鎖ラップ２を除去し上下二段重ねの鏡餅容器体及び内接容器に設けられた裂き口より手にて引き裂くことにより上下二段に分離した鏡餅を容易に取り出すことができる。図４に開示される如く、内接容器４の開口部５の縁辺に方向指向性樹脂の指向方向１５に平行した切り込み１３を入れたり、頭頂部天面に例えばＵ字形切り込み１４を入れたりして裂き口を設けられて、包丁等刃物で切断することなしに手によって簡単且つ容易に引き裂きできる。また、鏡餅容器１にも、これらの切り込みを設けることも可能である。
【００２１】
また、鏡餅上段部に充填した餅を下段鏡餅内接容器４により機械的に鏡餅容器１の上段内面側周部に密着整形させるべく、上段部残存空気をスムーズに脱気させて、更に鏡餅上段部の餅が加熱殺菌時に鏡餅容器１の下段内面側周部と下段鏡餅内接容器４の外面側周部との間にはみ出すのを防ぐ機能として、下段鏡餅内接容器４の側周部に深度０．１ｍｍから０．２ｍｍの範囲の多数の微細な凹凸を設けた下段鏡餅内接容器４を備えた構造を有し、これにより、開封時には、上下二段に分離した鏡餅を容易に取り出すことができる。
【００２２】
このように、この発明により、今日において市場に提供されている鏡餅商品に対する購買者の要求を含めた容器入り鏡餅を提供し、餅の貯蔵保護、容器からの取出し易さ、餅食調理整形の容易さや日本古来の伝統性の維持をも兼ね備えて、今日まで成し得なかった画期的な飾り鏡餅を提供できた。
【図面の簡単な説明】
【００２３】
【図１】圧空、真空成形した鏡餅容器を示す。
【図２】鏡餅容器に収納するこの発明の圧空、真空成形した下段内接容器を示す。
【図３】鏡餅容器に下段内接容器を設置して組み込んだこの発明の飾り鏡餅を示す。
【図４】頭頂部天面及び開口部の縁辺に切り込みを設けた内接容器を斜視図で示す。
【符号の説明】
【００２４】
１．．．．鏡餅容器
２．．．．閉鎖ラップ
３．．．．鏡餅容器開口部
４．．．．下段鏡餅内接容器
５．．．．下段鏡餅内接容器開口部
６．．．．鏡餅容器開口部周縁つば部
７．．．．上下段連結くびれ部
８．．．．上段鏡餅中空部
９．．．．下段鏡餅中空部
１０．．．内接容器中空部
１１．．．内接容器頭頂部
１２．．．（内外壁面）微細な凹凸
１３．．．切り込み
１４．．．Ｕ字形切り込み
１５．．．方向指向性樹脂の指向方向
【図１】
0005103264.tif 000002
【図２】
0005103264.tif 000003
【図３】
0005103264.tif 000004
【図４】
0005103264.tif 000005